(57)【要約】【課題】液体を貯留する容器本体１０と、液体の導出または注入時に使用する筒状孔部２２を有し容器本体１０の開口部１２に脱着可能に取付けられて開口部１２を閉塞する第１のキャップ２０ａと、第１のキャップ２０ａにおける筒状孔部２２の非使用時に筒状孔部２２の先端に脱着可能に取付けられて筒状孔部２２の開口を閉塞する第２のキャップ２０ｂを備える液体貯留容器において、第１のキャップ２０ａから取外された第２のキャップ２０ｂの紛失および外気による汚染を防止する。【解決手段】容器本体１０または第１のキャップ２０ａに、第２のキャップ２０ｂを嵌合して収納する収納部２０ｄを設けて、第１のキャップ２０ａから取外された第２のキャップ２０ｂを収納部２０ｄに収納することにより、第２のキャップの紛失および外気による汚染を防止する。【選択図】  図１
2007076726.tif 000002
【特許請求の範囲】
【請求項１】
液体を貯留する容器本体と、液体の導出または注入時に使用する筒状孔部を有し前記容器本体の開口部に脱着可能に取付けられて同開口部を閉塞する第１のキャップと、同第１のキャップにおける前記筒状孔部の非使用時に同筒状孔部の先端に脱着可能に取付けられて同筒状孔部の開口を閉塞する第２のキャップを備える液体貯留容器であり、当該液体貯留容器は、前記容器本体または前記第１のキャップに、前記第２のキャップを嵌合して収納する収納部を備えていることを特徴とする液体貯留容器。
【請求項２】
請求項１に記載の液体貯留容器であり、当該液体貯留容器を構成する第１のキャップが有する筒状孔部は前記容器本体内に臨む導出ホースを挿通する挿通孔を形成していて、前記容器本体内に貯留されている液体は前記導出ホースを通して導出されるように構成されていることを特徴とする液体貯留容器。
【請求項３】
請求項２に記載の液体貯留容器であり、当該液体貯留容器を構成する容器本体の開口部は、溶液の調製用原料である溶質および溶媒が投入可能に形成されていて、前記容器本体の開口部を閉塞している第１のキャップにおける筒状孔部の開口を第２のキャップにて閉塞した状態で、前記溶質を前記容器本体内で前記溶媒に溶解して意図する溶液を調製するように構成されていることを特徴とする液体貯留容器。
【請求項４】
請求項３に記載の液体貯留容器であり、当該液体貯留容器の容器本体内に投入される溶質および溶媒は無機塩および水であって、前記容器本体内で調製される溶液は所定濃度の濃塩水であり、同濃塩水は、電解水生成装置の電解槽に供給されて電解される被電解水を調製するための調製用原液であることを特徴とする液体貯留容器。
【請求項５】
請求項１〜４のいずれか一項に記載の液体貯留容器であり、当該液体貯留容器を構成する第２のキャップは接続バンドを介して第１のキャップに接続されていて、これらの第１のキャップ、第２のキャップおよび接続バンドは合成樹脂を成形材料として一体に成形されていることを特徴とする液体貯留容器。
【請求項６】
請求項１〜４のいずれか一項に記載の液体貯留容器であり、当該液体貯留容器を構成する第２のキャップの収納部は、合成樹脂を成形材料として第１のキャップに一体に形成されていることを特徴とする液体貯留容器。
【請求項７】
請求項５または６に記載の液体貯留容器であり、当該液体貯留容器を構成する第２のキャップは、前記第１のキャップにおける筒状孔の先端に液密的に嵌合するとともに前記収納部に嵌合する筒状の脚部と、同脚部と一体に形成されて同脚部の上端部を覆蓋して外周側に環状に突出する平板部とからなるキャップであることを特徴とする液体貯留容器。
【請求項８】
請求項７に記載の液体貯留容器であり、当該液体貯留容器を構成する収納部は、環状凸部にて包囲されて前記第２のキャップの脚部を脱着可能に嵌合する環状凹部を備え、前記環状凸部には側方または下方に通じる切欠部が形成されていることを特徴とする液体貯留容器。
【請求項９】
請求項２〜４のいずれか一項に記載の液体貯留容器であり、当該液体貯留容器を構成する第１のキャップは、前記容器本体の開口部に脱着可能に取付けられる筒状のキャップ本体と、同キャップ本体の上壁の中央部を上下に貫通して同キャップ本体内に延びて筒状孔部を形成する筒体とからなり、同筒体は導出ホースの挿通孔およびガイド部を形成していることを特徴とする液体貯留容器。
【請求項１０】
請求項９に記載の液体貯留容器であり、当該液体貯留容器を構成する第１のキャップのキャップ本体における上壁の上面は水平面またはわずかに下降傾斜する傾斜面に形成されており、かつ、前記筒体における前記上壁の上面側に突出する突出部は、前記上壁の上面側に拡開した状態で下降傾斜する傾斜面に形成されていることを特徴とする液体貯留容器。
【請求項１１】
請求項１０に記載の液体貯留容器であり、当該液体貯留容器を構成する第２のキャップを収納する収納部は、前記キャップ本体における上壁の上面に環状凹部が上方に開口するように形成されていて、前記第２のキャップは同キャップの脚部を前記環状凹部に嵌合して収納されることを特徴とする液体貯留容器。
【発明の詳細な説明】
【技術分野】
【０００１】
本発明は、容器本体内に貯留する液体を導出し、または、液体を容器本体内に注入して貯留するための液体貯留容器に関する。
【背景技術】
【０００２】
液体貯留容器の一形式として、液体を貯留する容器本体と、液体の導出または注入時に使用する筒状孔部を有し前記容器本体の開口部に脱着可能に取付けられて同開口部を閉塞する第１のキャップと、同第１のキャップにおける前記筒状孔部の非使用時に同筒状孔部の先端に脱着可能に取付けられて同筒状孔部の開口を閉塞する第２のキャップを備える形式の液体貯留容器がある。
【０００３】
当該形式の液体貯留容器においては、第１のキャップは、容器本体の開口部を閉塞した状態で、筒状孔部を通して容器本体内への液体の注入を可能にし、または、筒状孔部を通して容器本体内に貯留する液体の外部への導出を可能にする。また、第２のキャップは、第１のキャップの筒状孔部を通しての液体の注入また導出が行われていない場合に、容器本体の開口部を閉塞している第１のキャップにおける筒状孔部の先端に取付けられて筒状孔部の開口を閉塞すべく機能し、容器本体の内外の連通を遮断するとともに筒状孔部に開口を覆蓋して、筒状孔部の先端部を外気から汚染されるのを防止する。
【０００４】
このように、当該形式の液体貯留容器においては、第２のキャップは、第１のキャップにおける筒状孔部の先端に取付けられて使用される場合と、同筒状孔部の先端から取外されて使用されない場合とがある。第２のキャップは、使用されない場合には、第１のキャップおよび容器本体からは完全に分離した状態にあって、不注意によって紛失するおそれが多々あり、しばしば紛失しているのが現状である。これに対処すべく、第２のキャップを接続ベルトにて第１のキャップに接続する手段を採っている液体貯留容器が、薬液注入装置として提案されている（特許文献１を参照）。
【０００５】
当該薬液注入装置においては、第２のキャップは第１のキャップに接続ベルトを介して接続されていることから、第２のキャップが第１のキャップから取外された場合には、第１のキャップから接続ベルトを介して吊下状にある。このため、第２のキャップは、注意、不注意に関わらず紛失されることはない。
【特許文献１】特開２００１−９５９１７号公報
【発明の開示】
【発明が解決しようとする課題】
【０００６】
従って、当該形式の液体貯留容器においては、如何なる形態の液体貯留容器においても、上記した薬液注入装置が採用している両キャップを接続する手段を採用すれば、第２のキャップの不注意による紛失は回避される。しかしながら、第２のキャップを第１のキャップに接続バンドを介して接続する手段を採った場合には、第２のキャップが第１のキャップにおける筒状孔部の先端から取外された状態では、第２のキャップは接続バンドを介して第１のキャップから吊下してその全体が外気に曝された状態となる。このため、第２のキャップの全体は外気による汚染を避けられないという問題がある。
【０００７】
また、第２のキャップは、第１のキャップにおける筒状孔部の先端から取外された状態では、第１のキャップの近傍に吊下状態で位置していることから、第１のキャップの筒状孔部を利用した液体の導出操作や注入操作の障害となるおそれがあり、また、特に、第１のキャップの筒状孔部に導出ホースを挿入した状態で容器本体内の液体を導出する形態を採る液体貯留容器にあっては、容器本体の開口部に対する第１のキャップの取付け作業および／または取外し作業に支障をきたすことになる。従って、本発明の目的は、これらの問題に対処することにある。
【課題を解決するための手段】
【０００８】
本発明は、液体貯留容器に関する。本発明が適用対象とする液体貯留容器は、液体を貯留する容器本体と、液体の導出または注入時に使用する筒状孔部を有し前記容器本体の開口部に脱着可能に取付けられて同開口部を閉塞する第１のキャップと、同第１のキャップにおける前記筒状孔部の非使用時に同筒状孔部の先端に脱着可能に取付けられて同筒状孔部の開口を閉塞する第２のキャップを備える液体貯留容器である。しかして、本発明に係る液体貯留容器においては、前記容器本体または前記第１のキャップに、前記第２のキャップを嵌合して収納する収納部を備えていることを特徴とするものである。
【０００９】
本発明に係る液体貯留容器においては、第１のキャップが有する筒状孔部は前記容器本体内に臨む導出ホースを挿通する挿通孔を形成していて、前記容器本体内に貯留されている液体を前記導出ホースを通して導出するように構成することができる。
【００１０】
また、本発明に係る液体貯留容器においては、容器本体の開口部は、溶液の原料である溶質および溶媒が投入可能に形成されていて、前記容器本体の開口部を閉塞している第１のキャップにおける筒状孔部の開口を第２のキャップにて閉塞した状態で、前記容器本体内で、前記溶質を前記溶媒に溶解して意図する溶液を調製するように構成することができる。また、当該構成の液体貯留容器においては、前記容器本体内に投入される溶質および溶媒を無機塩および水として、前記容器本体内で調製される溶液を所定濃度の濃塩水とし、同濃塩水を、電解水生成装置の電解槽に供給されて電解される被電解水を調製するための調製用原液として使用するように構成することができる。
【００１１】
本発明に係る上記した各液体貯留容器においては、第２のキャップを第１のキャップに接続バンドを介して接続する構成とし、これらの第１のキャップ、第２のキャップおよび接続バンドを、合成樹脂を成形材料として一体に成形するようにすることができる。また、第２のキャップの収納部については、合成樹脂を成形材料として第１のキャップに一体に形成するようにすることができる。
【００１２】
この場合、第２にキャップについては、前記第１のキャップにおける筒状孔部の先端に液密的に嵌合するとともに前記収納部に嵌合する筒状の脚部と、同脚部と一体に形成されて同脚部の上端部を覆蓋して外周側に環状に突出する平板部とからなる構成とし、また、前記収納部については、環状凸部にて包囲されて前記第２のキャップの脚部を脱着可能に嵌合する環状凹部を備えた構成とし、同環状凸部には側方または下方に通じる切欠部が形成するようにすることができる。
【００１３】
本発明に係る上記した各液体貯留容器においては、液体貯留容器を構成する第１のキャップを、前記容器本体の開口部に脱着可能に取付けられる筒状のキャップ本体と、同キャップ本体における上壁の中央部を上下に貫通して同キャップ本体内に延びて筒状孔部を形成する筒体とにより構成し、同筒体が導出ホースの挿通孔およびガイド部を形成するようにすることができる。この場合、第１のキャップにおける上壁の上面を水平面またはわずかに下降傾斜する傾斜面に形成し、かつ、前記筒体における前記上壁の上面側に突出する突出部を、前記上壁の上面側に拡開して下降傾斜する傾斜面に形成する構成とすることができる。当該構成の液体貯留容器においては、前記第２のキャップを収納する収納部を前記上壁の上面に前記環状凹部が上方に開口するように形成し、前記第２のキャップを前記環状凹部に嵌合して収納されるように構成することができる。
【発明の効果】
【００１４】
本発明に係る液体貯留容器においては、第２のキャップを、容器本体の開口部を閉塞している第１のキャップにおける筒状孔の先端から取外した場合には、第１のキャップまたは容器本体に設けた収納部に収納することができるため、第２のキャップを収納部に収納することにより、第２のキャップの紛失が回避されるとともに、第２のキャップの全体を外気に曝して汚染されるようなことがない。また、第２のキャップは、収納部に収納された状態では、第１のキャップの近傍に吊下状態で位置していることはなく、当該液体貯留容器にてなされる各種の操作の障害となるようなことがない。本発明において、第２のキャップを第１のキャップに接続バンドを介して接続する形態を採れば、第２のキャップを収納部へ収納することを忘れた場合においても、紛失するおそれはない。
【００１５】
本発明に係る液体貯留容器においては、液体貯留容器の機能面から、各種の形態を採ることができる。その第１の形態は、当該液体貯留容器を構成する第１のキャップが有する筒状孔部を、前記容器本体内に臨む導出ホースを挿通する挿通孔を形成して、前記容器本体内に貯留されている液体を、前記導出ホースを通して導出するようにする形態である。また、その第２の形態は、当該液体貯留容器を構成する容器本体の開口部を、溶液の原料である溶質および溶媒が投入可能に形成して、前記容器本体の開口部を閉塞している第１のキャップにおける筒状孔部の開口を第２のキャップにて閉塞した状態で、前記容器本体内で、前記溶質を前記溶媒に溶解して意図する溶液を調製するようにする形態である。また、その第３の形態は、当該液体貯留容器の容器本体内に投入される溶質および溶媒を無機塩および水として、前記容器本体内で調製される溶液を所定濃度の濃塩水とする形態であり、この場合、濃塩水は、電解水生成装置の電解槽に供給されて電解される被電解水を調製するための調製用原液に利用される。これらの形態の液体貯留容器においては、第１のキャップ、第２のキャップ、および、第２のキャップを収納する収納部を各種の形態に構成することができる。
【００１６】
これらの形態の液体貯留容器において、第２のキャップを第１のキャップに接続バンドを介して接続する構成とし、これらの第１のキャップ、第２のキャップおよび接続バンドを、合成樹脂を成形材料として一体に成形する構成とし、また、第２のキャップの収納部を、合成樹脂を成形材料として第１のキャップに一体に形成する構成とすることができる。これにより、第２のキャップを紛失させることなく、コンパクトな収納構造を採ることができ、当該液体貯留容器による各種の操作における第２にキャップの障害を大幅に回避することができる。
【００１７】
この場合、第２にキャップについては、前記第１のキャップにおける筒状孔部の先端に液密的に嵌合するとともに前記収納部に嵌合する筒状の脚部と、同脚部と一体に形成されて同脚部の上端部を覆蓋して外周側に環状に突出する平板部とからなる構成とし、また、前記収納部については、環状凸部にて包囲されて前記第２のキャップの脚部を脱着可能に嵌合する環状凹部を備えた構成とし、同環状凸部には側方または下方に通じる切欠部が形成するようにすることができる。これにより、第２のキャップにおける第１のキャップの筒状孔部に接触する部位である脚部を外気から完全に遮断して、当該部位の外気による汚染を防止することができ、また、第２のキャップを構成する平板部の外周が外向フランジ部をなって、環状凹部に収納されている第２のキャップの取出しを容易にする。また、収納部を構成する環状凸部が有する切欠部は環状凹部に侵入した水を排出すべく機能し、環状凹部での水の滞留を防止する。
【００１８】
また、この場合、第１のキャップについては、、前記容器本体の開口部に脱着可能に取付けられる筒状のキャップ本体と、同キャップ本体の上壁の中央部を上下に貫通して同キャップ本体内に延びて筒状孔部を形成する筒体とにより構成し、同筒体が導出ホースの挿通孔およびガイド部を形成するようにすることができる。この場合、第１のキャップにおける上壁の上面を水平面またはわずかに下降傾斜する傾斜面に形成し、かつ、前記筒体における前記上壁の上面側に突出する突出部を、前記上壁の上面側に拡開して下降傾斜する傾斜面に形成する構成とすることができる。これにより、前記導出ホースの外周を伝って流下する水の容器本体内への侵入が防止されるとともに、第１のキャップにおける上壁の上面に流下した水の排水が良好になる。
【発明を実施するための最良の形態】
【００１９】
本発明に係る液体貯留容器は、液体を貯留する容器本体と、液体の導出または注入時に使用する筒状孔部を有し前記容器本体の開口部に脱着可能に取付けられて同開口部を閉塞する第１のキャップと、同第１のキャップにおける前記筒状孔部の非使用時に同筒状孔部の先端に脱着可能に取付けられて同筒状孔部の開口を閉塞する第２のキャップを備える液体貯留容器である。図１（ａ），（ｂ）には、本発明に係る液体貯留容器の一実施形態を示している。当該実施形態に係る液体貯留容器は、塩化ナトリウム（食塩）や塩化カリウム等、無機塩の所定濃度の濃塩水を貯留する濃塩水貯留容器であり、以下では、当該濃塩水貯留容器を濃塩水タンクＴと称し、かつ、容器本体をタンク本体と称する。
【００２０】
当該濃塩水タンクＴは、電解水生成装置に搭載された状態では、タンク本体内に貯留する濃塩水を導出して、当該電解水生成装置の電解槽にて電解される被電解水である希薄塩水を調製する調製原液として利用され、当該電解水生成装置から取外した状態では、タンク本体内にて所定濃度の濃塩水を調製するものである。図１（ａ）は、タンク本体内の濃塩水を導出可能な状態にしている濃塩水タンクを示し、同図（ｂ）は、タンク本体内で濃塩水を調製可能な状態にしている濃塩水タンクを示している。なお、図２および図３には、当該濃塩水タンクを構成する一対のキャップを示し、かつ、図４には、当該濃塩水タンクＴにおける濃塩水の導出終了からタンク本体内での濃塩水の調製および調製終了、タンク本体内で調製された濃塩水を導出可能状態とする過程を順に示している。
【００２１】
当該濃塩水タンクＴは、タンク本体１０と、第１のキャップ２０ａと、第２のキャップ２０ｂとからなり、タンク本体１０、第１のキャップ２０ａ、および第２のキャップ２０ｂの３部品は、高密度ポリエチレンを成形原料とする成形加工品である。また、第１のキャップ２０ａと第２のキャップ２０ｂは、接続バンド２０ｃにて互いに接続されているもので、これらの第１のキャップ２０ａ、第２のキャップ２０ｂ、および接続バンド２０ｃは互いに一体に成形されている。本実施形態では、タンク本体１０は５Ｌの濃塩水を貯留するに十分な容量のものである。
【００２２】
タンク本体１０は、略四角状の容器１１であって、容器１１の上壁の略中央部には円筒状開口部１２を備えている。円筒状開口部１２は外周にネジ部を備え、後述する第１のキャップ２０ａが円筒状開口部１２の外周に取外し可能に螺着するようになっている。また、円筒状開口部１２の開口寸法は、濃塩水を調製するための調製用溶質である食塩や塩化カリウムの粉粒体、および、調製用溶媒である水道水が、支障なく投入し得る寸法に設定されている。  
【００２３】
第１のキャップ２０ａは、短尺の円筒状を呈するもので、上壁を有して下方に開口する円筒状のキャップ本体２１を主体としている。キャップ本体２１には、その上壁２１ａの中央部を貫通する円筒体２２を一体に備えている。円筒体２２は、上壁２１ａの上面側にはわずかに突出しているが、キャップ本体２１内には、その胴長さと同等まで延びている。キャップ本体２１の胴の内周はネジ部となっている。これにより、キャップ本体２１、従って、第１のキャップ２０ａは、当該ネジ部にて、タンク本体１０における円筒状開口部１２の外周に螺着可能である。
【００２４】
当該構成の第１のキャップ２０ａにおいては、キャップ本体２１はタンク本体１０の円筒状開口部１２の開口を液密的に閉塞すべく機能し、かつ、円筒体２２は後述する導出ホースＨを挿通させる挿通孔として機能するとともに、導出ホースＨをタンク本体１０の容器１１内に導くためのガイド部として機能する。第１のキャップ２０ａのキャップ本体２１を構成する上壁２１ａの上面側には、第２のキャップ２０ｂを嵌合して収納する後述する収納部２０ｄが形成されている。
【００２５】
第２のキャップ２０ｂは、円板２３と、円板２３の下面側に一体的に形成されている短尺の円筒体２４とからなる。円筒体２４は、第１のキャップ２０ａを構成する円筒体２２の上端突出部２２ａに嵌合して、上端突出部２２ａの開口を液密的の閉塞する脚部として機能する。また、円板２３は、円筒体２４、換言すればキャップの脚部２４の上端を覆蓋する覆蓋部２３ａと、脚部２４から外周側に環状に突出する外向フランジ部２３ｂとに区分され、外向フランジ部２３ｂは、第１のキャップ２０ａにおける円筒状開口部２２の上端突出部２２ａに嵌着している第２のキャップ２０ｂの取外す場合に利用され、第１のキャップ２０ａに対する第２のキャップ２０ｂの取外しを容易にする。第２のキャップ２０ｂは、第１のキャップ２０ａに対して、接続バンド２０ｃを介して接続されている。接続バンド２０ｃは、容易に屈曲し得る可撓性のものであり、第１のキャップ２０ａおよび第２のキャップ２０ｂとは一体に形成されている。
【００２６】
第１のキャップ２０ａにおけるキャップ本体２１の上壁２１ａの上面側に形成されている収納部２０ｄは上方に開口する環状凹部２５ａであって、第１のキャップ２０ａにおける円筒体２２の上端突出部２２ａに連結する環状凸部２５ｂにて、当該上端突出部２２ａの側部近傍に形成されている。環状凸部２５ｂは、キャップ本体２１の上壁２１ａの外周側に開口する切欠部２５ｃを備えている。環状凹部２５ａにおいては、その内部の寸法が、第２のキャップ２０ｂの脚部２４が嵌合する寸法に形成されていて、当該脚部２４を嵌合した状態で、第２のキャップ２０ｂを上側にした状態で収納する。
【００２７】
第１のキャップ２０ａのキャップ本体２１を構成する上壁２１ａにおいては、円筒体２２の上端突出部２２ａにおける外周面２２ａ1が、上壁２１ａの上面側に拡開して下降傾斜する傾斜面に形成されている。また、収納部２０ｄを構成している環状凸部２５ｂの外周面２５ｂ1も、これと同様に、上壁２１ａの上面側に拡開して下降傾斜する傾斜面に形成されている。これらの外周面２２ａ1，２５ｂ1が下降傾斜する傾斜面に形成されていることにより、導出ホースＨの外周を伝って流下する水のタンク本体１０の容器１１内への侵入が防止され、上壁２１ａの上面に流下した水の上壁２１ａの外周側への排出が良好になる。
【００２８】
このように構成した濃塩水タンクＴにおいては、所定濃度の濃塩水を容器１１内で所定量調製した状態で、導出ホースＨを挿通する第１のキャップ２０ａを容器１１の円筒状開口部１２の上端部に螺着してその上端開口を閉塞して、図１（ａ）に示すセット状態とする。この場合、第２のキャップ２０ｂは、その脚部２４を、収納部２０ｄである環状凹部２５ａに嵌合した状態で、収納部２０ｄに上向きの状態で収納させておく。
【００２９】
このようなセット状態にある濃塩水タンクＴは、電解水生成装置に搭載されて、導出ホースＨの先端部が、被電解水を電解槽に供給する供給管路の途中に連結される。当該供給管路は、被電解水の調製用原水である水道水と、被電解水の調製用原液である濃塩水とを均一に混合して希薄塩水を調製し、当該希薄塩水を被電解水として電解槽に供給するものである。濃塩水タンクＴに貯留する濃塩水は、当該電解水生成装置の電解運転中、当該供給管路に導入される原水に設定された流量で継続して供給される。
【００３０】
これにより、濃塩水タンクＴでは、容器１１内の濃塩水が漸次消費され、図４（ａ）に模式的に示すように、濃塩水が設定量だけ消費された場合には、濃塩水タンクＴを当該電解水生成装置から取外して、容器１１内で濃塩水を調製する準備を開始する。濃塩水の調製に際しては、第１のキャップ２０ａを図４（ｂ）に示すように、タンク本体１０の円筒状開口部１２から取外し、取外した第１のキャップ２０ａの円筒体２２から導出ホースＨを抜出す。第１のキャップ２０ａの円筒体２２から導出ホースＨを抜出す作業は、バケツＢ上で行い、導出ホースＨを、その先端に取付けてあるフィルタｈを取外し、第１のキャップ２０ａの円筒体２２から抜出す。
【００３１】
第１のキャップ２０ａをタンク本体１０の円筒状開口部１２から取外せば、円筒状開口部１２の開口は開放され、開放された開口から、図４（ｃ）に示すように、食塩や塩化カリウム等の調製を目的とする塩水に対応する溶質を所定量投入し、次いで、同図（ｄ）に示すように、溶媒である水道水を所定量投入（注入）する。本実施形態では、５Ｌの濃塩水を調製すべく、約５Ｌの水道水を注入する。所定量の溶質および溶媒の投入が終了した際には、第２のキャップ２０ｂを収納部２０ｄから取出して、同図（ｅ）に示すように、第１のキャップ２０ａの円筒体２２における上端突出部２２ａに嵌合して、上端突出部２２ａの開口を液密的に閉塞する。この状態で、タンク本体１０を十分に振って、容器１１内に投入した溶質を溶媒に均一に溶解して、設定された濃度の濃塩水を調製する。
【００３２】
濃塩水の調製終了後には、第１のキャップ２０ａをタンク本体１０の円筒状開口部１２から取外するとともに、取外した第１のキャップ２０ａの上端突出部２２ａから第２のキャップ２０ｂを取外す。取外した第２のキャップ２０ａについては、収納部２０ｄに速やかに収納する。また、第１のキャップ２０ａについては、抜取れている導出ホースＨを、円筒体２２の内孔を通して挿通させ、この状態で、図４（ｆ）に示すように、タンク本体１０の円筒状開口部１２に螺着する。これにより、タンク本体１０の円筒状開口部１２の開口は液密的に閉塞されるとともに、導出ホースＨの先端部は、濃塩水を通って、容器１１内の底部に臨む。このようにセットされた濃塩水タンクＴは、再び電解水生成装置に搭載され、調製された濃塩水が被電解水の調製用原液として、供給管路内を流動して原水に供給される。
【００３３】
上記したごとく機能する当該濃塩水タンクＴにおいては、構成上、多くの作用効果を奏するものである。当該濃塩水タンクＴにおける構成上の特徴の第１は、第２のキャップ２０ｂを、第１のキャップ２０ａの円筒体２２における上端突出部２２ａから取外した場合には、第１のキャップ２０ａのキャップ本体２１に設けた収納部２０ｄに収納することができることにある。このため、第２のキャップ２０ｂを収納部２０ｄに収納することにより、第２のキャップ２０ｂの紛失を回避することができるとともに、第２のキャップ２０ｂの全体が外気に曝されて汚染されるようなことがない。また、第２のキャップ２０ｂは、収納部２０ｄに収納された状態では、第１のキャップ２０ａの近傍に吊下状態で位置していることはなく、当該濃塩水タンクＴにてなされる各種の操作の障害となるようなことがない。当該濃塩水タンクＴにおいては、第２のキャップ２０ｂを第１のキャップ２０ａに接続バンド２０ｃを介して接続する形態を採っているため、第２のキャップ２０ｂを収納部２０ｄに収納するのを忘れた場合においても、紛失するおそれがないことは勿論である。
【００３４】
当該濃塩水タンクＴにおける構成上の特徴の第２は、第１のキャップ２０ａの円筒体２２を、キャップ本体２１の上壁２１ａを貫通して設けて、当該円筒体２２を、導出ホースＨの挿通孔にするとともに、導出ホースＨをタンク本体１０の容器１１内に導くガイド部にしたことにある。これにより、導出ホースＨは、容器１１内に的確に導かれて、屈曲することなく安定した状態で保持され、容器１１内に貯留している濃塩水を円滑に導出させることができる。
【００３５】
当該濃塩水タンクＴにおける構成上の特徴の第３は、タンク本体Ｔの容器１１における円筒状開口部１２の開口寸法を、濃塩水の調製用原料である溶質および溶媒が自在に投入できる寸法にするとともに、当該円筒状開口部２２の開口を第１のキャップ２０ａにて液密的に閉塞し、かつ、第１のキャップ２０ａにおける円筒体２２の上端突出部２２ａの開口を第２のキャップ２０ｂにて液密的に閉塞するようにしたことにある。これにより、設定された所定濃度の濃塩水をタンク本体１０の容器１１内で容易の調製することができる。
【００３６】
当該濃塩水タンクＴにおける構成上の特徴の第４は、第２のキャップ２０ｂを、脚部２４の上端を円板２３で覆蓋するように構成して、当該脚部２４を収納部２０ｄの環状凹部２５ａに嵌合して収納するようにしたことにある。これにより、第２のキャップ２０ｂにおいて、第１のキャップ２０ａにおける円筒体２２の上端突出部２２ａと接触する脚部２４および円板２３の下面が外気に曝らされるのを防止することができて、当該部位を衛生上良好に保持することができる。また、円板２３の外向フランジ部２３ｂは、収納状態にある第２のキャップ２０ｂを収納部２０ｄから取出すための操作部として機能し、第２のキャップ２０ｂの収納部２０ｄからの取出しを容易にする。
【００３７】
当該濃塩水タンクＴにおける構成上の特徴の第５は、収納部２０ｄの環状凹部２５ａを構成する環状凸部２５ｂに側方に通じる切欠部２５ｃを形成し、第１のキャップ２０ａにおける上壁２１ａの上面を水平面またはわずかに下降傾斜する傾斜面に形成し、第１のキャップ２０ａの円筒体２２における上端突出部２２ａの外周面２２ａ1、および、収納部２０ｄを形成する環状凸部２５ｂの外周面２５ｂ1を、キャップ本体２１の上壁２１ａの上面側に拡開して下降する傾斜面に形成していることにある。これにより、導出ホースＨの外周を伝って流下する水の容器１１内への侵入が防止されるとともに、第１のキャップ２０ａにおける上壁２１ａの上面に流下した水の排水が良好になる。
【図面の簡単な説明】
【００３８】
【図１】本発明に係る液体貯留容器の一実施形態である濃塩水タンクであって、貯留する濃塩水を導出し得る状態にセットされている状態を示す斜視図（ａ）、および、貯留するための濃塩水を容器内で調製し得る状態にセットされている状態を示す斜視図（ｂ）である。
【図２】同濃塩水タンクを構成する第１のキャップと第２のキャップを一体に成形した成形品を示す平面図である。
【図３】同成形品における図２の矢印３−３方向にみた縦断面図である。
【図４】同濃塩水タンクの濃塩水を導出終了時から濃塩水を調製可能状態とし、調製された濃塩水を導出可能状態にするまでの過程の順を模式的に示す過程図である。
【符号の説明】
【００３９】
Ｔ…濃塩水タンク、Ｈ…導出ホース、ｈ…フィルタ、Ｂ…バケツ、１０…タンク本体、１１…容器、１２…円筒状開口部、２０ａ…第１のキャップ、２１…キャップ本体、２１ａ…上壁、２２…円筒体、２２ａ…上端突出部、２２ａ1…外周面、２０ｂ…第２のキャップ、２３…円板、２３ａ…覆蓋部、２３ｂ…外向フランジ部、２４…円筒体（脚部）、２０ｃ…接続バンド、２０ｄ…収納部、２５ａ…環状凹部、２５ｂ…環状凸部、２５ｂ1…外周面、２５ｃ…切欠部。
【図１】
2007076726.tif 000003
【図２】
2007076726.tif 000004
【図３】
2007076726.tif 000005
【図４】
2007076726.tif 000006